(57)【要約】【課題】  装着したレンズの種類によらず、三脚据付時・肩乗せ時のいずれの場合においても、装置の重心が安定した良好な重量バランスとなるポータブルレンズ交換式カメラ一体型ＶＴＲ装置を提供する。【解決手段】  電源投入時およびレンズ装着時に、レンズの種類に応じたカムコーダー全体でのカウンターバランスがとれるカウンターウエイト値とともに推奨重量配分システムのタイプ／概要をカメラビューファインダ上に表示する。【選択図】  図１
2009141867.tif 000002
【特許請求の範囲】
【請求項１】
カメラ本体と、このカメラ本体に着脱可能な交換レンズとを備えたレンズ交換式カメラシステムにおいて、
装着したレンズの種類に応じて、カメラ全体でのカウンターバランスがとれるカウンターウエイト値とともに、カウンターバランス重量配分システムのタイプ／概要を、前記カメラ本体に設けたビューファインダ内に表示することを特徴としたレンズ交換式カメラシステム。
【請求項２】
上記表示するカウンターウエイト値およびカウンターバランス重量配分システムのタイプ／概要は、装着した交換レンズ側から取得したレンズ固有のＩＤ情報にもとづく重量バランス情報とカメラ本体固有の重量バランス情報から得られた情報をもとにして決定される、カメラ本体に設けられた三脚座取り付け位置を中心とした、あらかじめ設定して成るカウンターバランス情報であることを特徴とした請求項１に記載のレンズ交換式カメラシステム。
【発明の詳細な説明】
【技術分野】
【０００１】
本発明は、ビデオカメラに関し、特にレンズが交換可能なビデオカメラシステムに関する。
【背景技術】
【０００２】
放送・業務用ビデオカメラでは一般的に広く使用されているが、近年の高性能化した民生用のポータブルビデオカメラでも、ユーザーが、いろいろな被写体に応じてレンズを交換できるように構成したことを特徴としているカメラ一体型ＶＴＲ（ビデオテープレコーダー）装置があり、半業務用として使用される場合が多くなってきている。従来のレンズ交換式カメラ一体型ＶＴＲは、像を光としてとらえるレンズと、このレンズでとらえた光の像を電気信号に変換するカメラヘッド部と、このカメラヘッド部から供給される電気信号を処理してテープ状記録媒体に記録し、またはあらかじめ記録された情報を再生するビデオ機構部等から構成されている。このうち、カメラヘッド部及びビデオ機構部は、レンズが着脱可能であるように構成された装置筐体の内部に収容されて、装置筐体と一体的に構成されている。また、装置筐体には、吊持用のハンドルや、レンズのズーム操作を行なうためのズームキー部と一体に構成されたグリップ部と、レンズでとらえた像を目視するためのカメラビューファインダと、周囲の音をとらえるためのマイクロホンと、ストロボや照明ライト等のアクセサリーを取り付けるためのアクセサリーシュー等とが設けられている。更に、装置筐体の底面には、三脚の三脚座に装置筐体を取り付けるための三脚穴が設けられている。そして、撮影時には、カメラマンがカメラ本体を肩当て部材によって肩に乗せ、右手でグリップを保持して安定させ、ビューファインダーを見ながら、必要なカメラ操作を行ったり、カメラ本体を三脚の雲台に取り付けて三脚のパン棒を操作し、パン・チルト動作を行ないながら同時に、レンズフォーカスのピント送り、ズーム・絞り操作ないしは、記録の開始・停止等の操作を行なう。
【０００３】
このようなレンズが交換可能なビデオカメラでは、特許文献１に開示してあるレンズ交換式一眼レフカメラ同様に、レンズの焦点距離値、開放絞り値などの撮影レンズの固有情報を電気信号とし、それを通信手段を介してカメラに送り、その情報に基づき細かなレンズの種々の制御を行なう機構を有している。
【特許文献１】特開２００１−０８３５８９号公報
【発明の開示】
【発明が解決しようとする課題】
【０００４】
上記従来の民生用のポータブルレンズ交換式カメラ一体型ＶＴＲ装置は、放送・業務用ビデオカメラと同様に、カメラヘッド部に光学プリズム色分解方式による３板式の撮像素子を組み込んだ構成とすることが一般的である。光学プリズムに貼り付けられる撮像素子の光学受光面の大きさであるイメージサイズについては、撮像素子のタイプに応じて種々あるが、近年では撮像素子の画素の微細化が進み、性能の向上も著しく、小型の撮像素子であっても、従来では望めなかった例えばＨＤ（ハイビジョン）用の映像撮影用途でも満足できる性能を有する撮像素子が出現し、高性能ハイビジョンポータブルレンズ交換式カメラ一体型ＶＴＲ装置として製品化されている。このイメージサイズは例えば１／３インチサイズ（受光面対角６ｍｍ）の撮像素子の例があり、貼り付ける光学プリズムの大きさも相対的に小型化を図れるので、カメラヘッド部としては、放送・業務用ビデオカメラに比べてより小型に構成でき、さらにビデオ機構部においても、民生用ビデオテープカセットをベースとした小型ＶＴＲの搭載のみならず、近年ではＶＴＲ方式に替わり、半導体メモリ・ハードディスク・光ディスクなどを記録再生メディアとして使用するビデオ機構部を搭載することにより、小型化を図ったうえでその性能についても、放送・業務用ビデオカメラと遜色のない、高性能製品が出現している。
【０００５】
ところで上記従来の民生用のポータブルレンズ交換式カメラ一体型ＶＴＲ装置においては、本体に取り付けるレンズの重量と本体との重量バランスが取れない状況がある。特に高倍率のズーム倍率を有するレンズでは、レンズ性能を確保するためにどうしてもレンズの口径・構成枚数・レンズを駆動するための機構部品等が複雑化しており、特にＨＤ用ではこの傾向が顕著で、レンズの大きさ・重量に対し、本体側の大きさ・重量が相対的に小さく、三脚据付時にレンズ重量バランスの過多によりフロントヘビーとなり、取り回しに苦労するような組み合わせも出てきている。
【０００６】
図５は三脚据付時の従来例のポータブルレンズ交換式カメラ一体型ＶＴＲ装置の側面図である。図示したように、カメラ全体の重量バランスがくずれてしまっており、三脚支点を中心として、回転力が加わり、アンバランスになるため、カメラマンによるパン・チルト操作性が変化することがあり、負荷がカメラマンに急激にかかってしまうため、カメラワークが非常に難しくなることがある。カメラマンがカメラを肩乗せにて運用する場合にも、このように重量バランスが取れない組み合わせの場合には、重心の位置がレンズ側に寄りすぎ、使い勝手が良くないものとなる。
【０００７】
本発明はこのような事情に鑑みてなされたもので、交換レンズの種類によらず、種々の交換レンズをカメラ本体に取り付ける場合の全てにおいて、カメラマンによるテレビカメラの操作性を向上させることができるポータブルレンズ交換式カメラ一体型ＶＴＲ装置を提供することを目的とする。
【課題を解決するための手段】
【０００８】
上記目的を達成するため、本発明においては、カメラ本体と、このカメラ本体に着脱可能な交換レンズとを備えた撮影機器において、装着したレンズの種類に応じて、カメラ全体でのカウンターバランスがとれるカウンターウエイト値とともに、カウンターバランス重量配分システムのタイプ／概要を、カメラ本体に設けたビューファインダ内に表示することを特徴としている。
【０００９】
さらに本発明においては、上記表示するカウンターウエイト値およびカウンターバランス重量配分システムのタイプ／概要は、装着した交換レンズ側から取得したレンズ固有のＩＤ情報にもとづく重量バランス情報とカメラ本体固有の重量バランス情報から得られた情報をもとにして決定される、カメラ本体に設けられた三脚座取り付け位置を中心とした、あらかじめ設定して成るカウンターバランス情報であることを特徴としている。
【発明の効果】
【００１０】
本発明に係るポータブルレンズ交換式カメラ一体型ＶＴＲ装置によれば、交換レンズを装着したときに、カメラ全体のカウンターバランスが取れるように、装着レンズの種類に応じたカウンターウエイト値をカメラビューファインダに表示するようにしたため、ユーザーが個別にウエイトを用意する場合の参考値となりえる。もちろんこのウエイトは、例えばカメラ本体のアクセサリー製品として容易にカメラ本体に取り付け可能であるように設計された専用のウエイト部材であっても良い。さらに装着レンズの種類に応じたカウンターウエイトの推奨組み合わせ構成として、カメラ本体に取り付けるアダプタホルダ・バッテリホルダ・バッテリ容量・バッテリ装着数・取り付け部材さらには外部外付けバックアップ用記録メディアドライブ装置などによる構成のタイプを交換レンズの種類に対応させてあらかじめ設定しておき、レンズ装着時に上記推奨組み合わせ構成のタイプ／概要が判別できるようにカメラビューファインダに表示するようにしたため、推奨カウンターウエイト組み合わせの構成を、容易に判定できるようになり、ユーザーがレンズ装着の際に、同時に推奨組み合わせ構成部材を取り付けることにより、三脚据付時・肩乗せ時のいずれの場合においても、装置の重心が安定した良好な重量バランスを実現したポータブルレンズ交換式カメラ一体型ＶＴＲ装置を構成することができる。従って、撮影時に、肩乗せ時においては、各カメラマンにとって最も楽な姿勢で、ビューファインダーを目で見ながら、カメラ操作を行なうことができるとともに、三脚据付時においては、三脚のパン棒を使用してのパン・チルト操作性が向上し、各カメラマンの疲労を大巾に軽減できる。
【発明を実施するための最良の形態】
【００１１】
次に、本発明の詳細を実施例の記述に従って説明する。
【実施例１】
【００１２】
以下添付図面に従って本発明に係るポータブルレンズ交換式カメラ一体型ＶＴＲ装置の好ましい実施の形態を詳述する。図１は、本発明の実施の形態に係るポータブルレンズ交換式カメラ一体型ＶＴＲ装置のカウンターバランス構成システム側面図およびカメラビューファインダ上のカウンターウエイト・カウンターバランス情報表示例である。図に示すように、ポータブルレンズ交換式カメラ一体型ＶＴＲ装置１０１は、被写体である像を光としてとらえて電気信号に変換するカメラヘッド（筐体内部機構のため図示しない）と、吊持用のハンドルや、レンズのズーム操作を行なうためのズームキー部と一体に構成されたグリップ部と、周囲の音をとらえるためのマイクロホンと、ストロボや照明ライト等のアクセサリーを取り付けるためのアクセサリーシュー等の周辺部品と、このカメラ機構部およびマイクロホンからの電気信号を処理してテープ状記録媒体に情報として記録すると共に記録された情報を任意に再生することができるビデオ機構部（筐体内部機構のため図示しない）と、これらカメラヘッド及びビデオ機構部が収容されるキャビネットとしての装置筐体１０２とから構成されている。更に、装置筐体１０２の底面には、三脚の三脚座に装置筐体を取り付けるための三脚穴が設けられている。さらに、像を光としてとらえる交換レンズ群１０３が用意されており、解像度などのレンズ性能であったり、ワイド側の焦点距離値であったり、ズーム倍率であったり、レンズの開放明るさであったり、ユーザーがさまざまな被写体に応じて、レンズの種類を選択できるようにシステム化されている。交換レンズ群１０３は、装置筐体１０２に設けられた、専用レンズマウント面１０４に嵌合・装着され、同時に交換レンズ群１０３と装置筐体１０２の両者に設けられた電気接点が所定の位置に接続されて、交換レンズ側と装置筐体側それぞれに内蔵した制御装置（マイクロコンピュータ）により、必要な情報についての通信を行なう。さらに装置筐体１０２には、交換レンズ群１０３でとらえた像を目で見るためのカメラビューファインダ１０５が設置されている。尚、カメラビューファインダ１０５としては、電子式ビューファインダが適用される。
【００１３】
ここで、アダプタフォルダ２０１は、アダプタフォルダの取り付け説明図である図２上段に示したように、付属の金属部材数点をビス留めすることにより、図２下段のように、デュアルバッテリチャージャアダプタ２０３が、嵌合・装着できるように構成されている。デュアルバッテリチャージャアダプタ２０３には、専用バッテリ取り付け部があり、数種類のサイズ・容量のバッテリパック群２０４のうち、最大２つが嵌合・装着できるように構成されている。デュアルバッテリチャージャアダプタ２０３は、固有の重量を有し、バッテリパック群２０４は、例えばそのセル構造がリチウムイオンタイプであったり、ニッケル水素タイプであったり、さらにはそのセル搭載数に応じて、固有の重量を有している。デュアルバッテリチャージャアダプタ２０３は、図示しないＡＣケーブルによる電源への接続により、装着したバッテリパック群２０４への充電機能を有する。
【００１４】
図１において、アダプタフォルダ２０２は、アダプタフォルダ２０１を組み付けた場合とは異なるカウンターウエイトが得られるように、アダプタフォルダ２０１とは異なる全長に設計されている。ユーザーが取り付ける交換レンズ群１０３の種類に応じて、ポータブルレンズ交換式カメラ一体型ＶＴＲ装置１０１全体として、装置筐体１０２の底面に設けられた、三脚穴を中心とした前後の重量バランスが良好となるように、カウンターウエイトとして推奨される装置筐体１０２に取り付ける、アダプタフォルダ２０１ないしはアダプタフォルダ２０２、およびデュアルバッテリチャージャアダプタ２０３と、デュアルバッテリチャージャアダプタ２０３に装着するバッテリパック群２０４の組み合わせ種類が設定されている。さらに、図においては、推奨カウンターウエイト構成の組み合わせを、交換レンズ群１０３の種類に応じて、タイプ００１・タイプ００２・タイプ００３・タイプ００４・タイプ００５としており、交換レンズ群１０３の固有の重量と装置筐体１０２の重量配分に応じた、推奨カウンターウエイト構成の組み合わせタイプを明示している。上記タイプ名は、例えば、ポータブルレンズ交換式カメラ一体型ＶＴＲ装置１０１ないしは交換レンズ群１０３の取り扱い説明書等に記載することで、ユーザーがどのような交換レンズを選択・装着した場合においても、組み合わせるカウンターウエイト構成があらかじめ設定してあることにより、迷うことなく、良好な重量バランスを実現したポータブルレンズ交換式カメラ一体型ＶＴＲ装置が構成できるようにしてある。図４は、推奨カウンターウエイト構成の組み合わせを装着した場合の、本実施例における良好な重量バランスの実現例の図である。
【００１５】
一方、図１に示したように、レンズ装着時におけるカメラビューファインダ１０５での表示例として、ディスプレイ１０６に示したような、カウンターウエイト・カウンターバランス情報の表示を行なう。すなわち、図示したように、交換レンズ群１０３の取り付けに応じて、アダプタフォルダ２０１ないしはアダプタフォルダ２０２に取り付けるべき、カウンターウエイトの推奨値ＸＸｋｇおよび上記、推奨カウンターウエイト構成の組み合わせタイプ名の表示を行なう。さらに、ディスプレイ１０６の表示に続いて、推奨カウンターウエイト構成の組み合わせについては、ディスプレイ１０７に示したように、詳細な取り付け部材の表示を行なう。図におけるディスプレイ１０７の表示例としては、上述したアダプタフォルダ２０１ないしはアダプタフォルダ２０２、およびデュアルバッテリチャージャアダプタ２０３と、デュアルバッテリチャージャアダプタ２０３に装着するバッテリパック群２０４の商品名としている。これらの情報は、交換レンズ１０３側と装置筐体１０２側それぞれに内蔵した制御装置（マイクロコンピュータ）の通信により、装着した交換レンズ１０３側から取得したレンズ固有のＩＤ情報にもとづく重量バランス情報と装置筐体１０２本体固有の重量バランス情報から得られた情報をもとにして決定される。ここで、交換レンズ１０３側から取得する重量バランス情報としては、レンズそのものの重量値であっても良いし、重量値を簡易的に表現した符号等でも良いし、商品名・シリアルＩＤ番号・各種スペックなど交換レンズ１０３の種類が特定できる情報であれば、いずれでも構わない。これらの情報は、あらかじめ決められた、交換レンズ１０３側と装置筐体１０２側内蔵の制御装置の通信プロトコルによって、適宜、装置筐体１０２側に伝達され、装置筐体１０２側の制御装置は、レンズ固有の重量バランス情報を取得したのち、装置筐体１０２側の重量バランス情報にもとづき、上記カウンターウエイト・カウンターバランス情報の表示を行なう。
【００１６】
図３は、上記ディスプレイ１０６の表示内容にある、カウンターウエイトの推奨値ＸＸｋｇに対応して設計製作された安価なウエイト内蔵ダミーバッテリパックの例である。図において、ウエイト内蔵ダミーバッテリパック３０１は、カウンターウエイトの推奨値の種類に応じて、数種用意してあり、パック筐体表面にウエイト値を表示するなどして、レンズ装着の際の組み合わせとして、ディスプレイ３０１のカウンターウエイトの推奨値の表示に従い、アダプタフォルダ２０１ないしはアダプタフォルダ２０２に容易にウエイトを選択・取り付けできるように設定されている。
【００１７】
カメラマンが撮影目的に合わせて用意した、交換レンズの種類に応じて、あれかじめダミーバッテリパック３０１も数種類用意することで、撮影現場にて、ディスプレイ１０６のカウンターウエイトの推奨値の表示に従い、適宜、交換レンズの装着に伴い、対応するダミーバッテリパック３０１を容易に選択取り付けることが可能となる。
【００１８】
なお、本実施例では、カウンターバランスを取るための推奨組み合わせ例として、上記、ダミーバッテリパック３０１・アダプタフォルダ２０１ないしはアダプタフォルダ２０２・デュアルバッテリチャージャアダプタ２０３・デュアルバッテリチャージャアダプタ２０３・バッテリパック群２０４を、構成部材の例として掲げたが、もちろんこれらの部材のみに留まらず、図示は行なわないが、例えば、さらに効果的にカウンターウエイトを得られるように形状を変更したアダプタフォルダを追加した組み合わせであっても良いし、外付け大容量のバッテリパック・記録パックアップ用のハードディスクなどの外付け記録メディアドライブ装置・シリアルディジタルインターフェース機器等の外付けメディアコンバータ装置などの別体装置との組み合わせ構成であっても良い。ダミーバッテリパック３０１についても、単なるウエイト部材を内蔵するにとどまらず、ウエイト部材と上記別体装置との組み合わせであっても良い。また、カメラビューファインダ１０５での表示例についても、ディスプレイ１０６・ディスプレイ１０７に示したような表示手段にとどまらず、例えばグラフィカルユーザーインタフェース技術を多用したような、カウンターウエイト・カウンターバランスおよびその構成を、より認識可能とするような様々な表示手段を採用できる。なお、本発明では、説明の都合上、ポータブルレンズ交換式カメラに組み合わされる本体筐体内蔵の記録メディアを小型ＶＴＲとしているが、この装置は小型ＶＴＲのみならず、半導体メモリ・ハードディスク・光ディスクなどの記録再生メディアを使用するドライブ装置であっても、本発明は実施可能であり、すなわち、本発明は上記実施例に限定されることなく、本発明の技術的思想に基づいて、各種の有効な変更が可能なものである。
【図面の簡単な説明】
【００１９】
【図１】本発明の実施例を説明する図である。
【図２】アダプタフォルダおよび付属品などの取り付け方法を説明する図である。
【図３】ウエイト内蔵ダミーバッテリパックの取り付け方法を説明する図である。
【図４】本発明の効果を説明する図である。
【図５】従来例の課題を説明する図である。
【符号の説明】
【００２０】
１０１  ポータブルレンズ交換式カメラ一体型ＶＴＲ装置
１０２  装置筐体
１０３  交換レンズ群
１０４  専用レンズマウント面
１０５  カメラビューファインダ
１０６  カメラビューファインダ表示例
１０７  カメラビューファインダ表示例
２０１  アダプタフォルダ
２０２  アダプタフォルダ
２０３  デュアルバッテリチャージャアダプタ
２０４  バッテリパック群
３０１  ウエイト内蔵ダミーバッテリパック
【図１】
2009141867.tif 000003
【図２】
2009141867.tif 000004
【図３】
2009141867.tif 000005
【図４】
2009141867.tif 000006
【図５】
2009141867.tif 000007